(57)【要約】      （修正有）【課題】開口を構成する枠の形状に関わらず止水板の支持部を形成し、容易かつ短時間で止水板を取付可能な止水板の取付用基部構造を提供する。【解決手段】建物の壁に設けられた開口の前方から水が侵入することを防止する止水板の取付基部構造において、前記止水板を支持する支持面１５を有する支持部１１と、前記支持面１５に接続された固定部１３と、を具備し、前記固定部１３が、前記壁の前方及び／又は後方に固定されるとともに、前記支持面１５が、前記開口内に配置されること、を特徴とする。【選択図】図１
2018168654.tif 000002
【特許請求の範囲】
【請求項１】
建物の壁に設けられた開口の前方から水が侵入することを防止する止水板の取付基部構造であって、
前記止水板を支持する支持面を有する支持部と、
前記支持面に接続された固定部と、
を具備し、
前記固定部が、前記壁の前方及び／又は後方に固定されるとともに、前記支持面が、前記開口内に配置されること、
を特徴とする止水板の取付用基部構造。
【請求項２】
前記固定部に設けられた係合部と、
前記壁に固定され、前記係合部を着脱自在に係合可能な固定具と、
を具備し、
前記固定具を前記係合部に係合させることにより前記固定部が前記壁に対して着脱自在に固定されること、
を特徴とする請求項１に記載の止水板の取付用基部構造。
【請求項３】
前記固定部が固定面を有し、
前記係合部が、前記固定面の一部を切り欠いて形成された切り欠きで構成されていること、
を特徴とする請求項２に記載の止水板の取付用基部構造。
【請求項４】
前記固定具が、前記切り欠きに挿通可能な突設部を具備すること、
を特徴とする請求項３に記載の止水板の取付用基部構造。
【請求項５】
前記突設部が、外れ止め部を具備すること、
を特徴とする請求項４に記載の止水板の取付用基部構造。
【発明の詳細な説明】
【技術分野】
【０００１】
本発明は、ゲリラ豪雨等によって発生した水が、建物の出入口等から内部へ浸入することを防止する止水板の取付用基部構造に関する。
【背景技術】
【０００２】
昨今、地球温暖化を要因の一つとする異常気象に伴い、各地で短時間の記録的なゲリラ豪雨が頻発しているところ、都市部では道路の舗装化が進んでおり、降雨した雨水は殆ど地中に浸透することなく、下水道施設から河川へと一気に流入し、短時間で河川が氾濫したり下水道施設から雨水が噴き出したりし、床下浸水や床上浸水等の水害が出ている。
【０００３】
このような水害時は、従来、建物の出入口等の建物開口に土嚢を積み上げて遮水壁を作り、建物等の内部への水の浸入を防いでいたが、土嚢は非常に重いため、積上げ作業には大変な時間と労力を要し、短時間で起こる水害を防止するのは困難であり、また、嵩張るので保管場所を確保するのも容易ではなかった。
【０００４】
そこで、出入口等の建物開口形状及び寸法に応じて形成された専用の止水板が使用される場合もあり、より確実な止水方法が確立されつつある。当該止水板は、開口に固定して該開口を封鎖し、水の侵入を防止するものであるが、例えば止水板を開口内に配置し、当該開口を構成する枠に対して内側から水平方向に突っ張って固定する突っ張り方式の止水板が存在する。しかし、当該固定方法を用いた止水板は、開口を構成する枠が該開口の前方から後方に対して略平行に設けられたものであれば固定することが可能であるが、枠が非平行である場合は水平方向に突っ張りが効かず、確実な固定を行うことができない。
また、開口を構成する枠に、ある程度高さのある凹凸が形成されている場合も、確実な固定ができない場合がある。
【０００５】
これに対し、特許文献１（特開２０１６−２０４９４８号公報）には、開口を構成する枠の後方側出隅部にフックを掛け、枠の前方に配置した止水板と、当該フックと、を接続しつつ、双方を前後方向に引っ張り合うことで止水板を開口に固定する浸水防止装置が開示されている。当該接続方法を用いることで、開口を構成する枠が非平行であっても、止水板を当該開口に固定することができるものである。
【先行技術文献】
【特許文献】
【０００６】
【特許文献１】特開２０１６−２０４９４８号公報
【発明の概要】
【発明が解決しようとする課題】
【０００７】
しかしながら、上記特許文献１の浸水防止装置は、開口を構成する枠の後方側出隅部に所定のエッジが存在する場合には有効であるが、例えば当該エッジに大きなアールが付与された開口等であればフックが強固に掛からず止水板を確実に固定することが出来ない。また、開口の前方から後方に掛けて広がるテーパーを有する場合も同様にフックを掛けることが出来ないため、ある程度取付対象となる開口が限定される。
【０００８】
そこで止水板の取付構造に着目すると、開口を形成する枠の構造に依存していることは明らかであって、未だ改善の余地があった。
【０００９】
そこで本発明は、開口を構成する枠の形状に関わらず止水板の支持部を形成し、容易かつ短時間で止水板を取付可能な止水板の取付用基部構造を提供することを目的とする。
【課題を解決するための手段】
【００１０】
上記の課題を解決すべく、本発明は、
建物の壁に設けられた開口の前方から水が侵入することを防止する止水板の取付基部構造であって、
前記止水板を支持する支持面を有する支持部と、
前記支持面に接続された固定部と、
を具備し、
前記固定部が、前記壁の前方及び／又は後方に固定されるとともに、前記支持面が、前記開口内に配置されること、
を特徴とする止水板の取付用基部構造を提供する。
【００１１】
このような構成を有する本発明の止水板の取付用基部構造では、開口内に支持面が配置され、当該支持面と接続された固定部により、開口を有する壁に固定される。このため、開口の形状に関係なく止水板を独立して支持する機構が構成されるため、例えば開口を形成する枠の内向面がテーパーや凹凸等を有するものであっても、止水板を確実に固定することができる。ここで、建物の壁とは枠等の建物の付帯物をも含む概念であり、すなわち枠等に固定部が固定される態様をも含むことは言うまでもない。
【００１２】
また、上記の本発明の止水板の取付用基部構造においては、
前記固定部に設けられた係合部と、
前記壁に固定され、前記係合部を着脱自在に係合可能な固定具と、
を具備し、
前記固定具を前記係合部に係合させることにより前記固定部が前記壁に対して着脱自在に固定されることが望ましい。
【００１３】
このような構成を有する本発明の止水板の取付用基部構造では、固定部が具備する係合部と、あらかじめ壁に固定する固定部と、を備え、当該係合部と、固定部と、が係合可能な形状を備えているため、壁に対して固定部及び支持部を着脱自在に固定することができる。
【００１４】
また、上記の本発明の止水板の取付用基部構造においては、
前記固定部が固定面を有し、
前記係合部が、前記固定面の一部を切り欠いて形成された切り欠きで構成されていることが望ましい。
【００１５】
また、上記の本発明の止水板の取付用基部構造においては、
前記固定具が、前記切り欠きに挿通可能な突設部を具備することが望ましい。
【００１６】
また、上記の本発明の止水板の取付用基部構造においては、更に、
前記突設部が、外れ止め部を具備することが望ましい。
【００１７】
このような構成を有する本発明の止水板の取付用基部構造では、固定面に備えられた係合部が切り欠きであり、該切り欠きに挿通可能な突設部を備えた固定具を用いることで、容易に双方の係合を行うことができる。また、突設部の先端に例えば円盤状の外れ止め部を具備することにより、壁の前後方向に力が印加されても係合部と、固定具と、の係合解除を防止することができる。
【発明の効果】
【００１８】
本発明によれば、開口を構成する枠の形状に関わらず止水板の支持部を形成し、容易かつ短時間で止水板を取付可能な止水板の取付用基部構造を提供することができる。
【図面の簡単な説明】
【００１９】
【図１】取付板３の構造を説明する斜視図である。
【図２】取付板３の構造を説明する図であって、図２（ａ）は、取付板３を上方から見下ろした見下図であり、図２（ｂ）は、固定面１７を正面視した取付板３の正面図であり、図２（ｃ）は、支持面１５を正面視した取付板１７の側面図である。
【図３】固定具５の構造を示す図であって、図３（ａ）は、固定具５の構造を示す側面方向の断面図であり、図３（ｂ）は、固定具５の構造を示す上面図である。
【図４】壁５５に固定具５を固定する手順を示す模式図である。
【図５】壁５５に固定した固定具５に取付板３を係合させる手順を示す模式図である。
【図６】固定具５に係合した取付板３に止水板１を配置する手順を示す模式図である。
【図７】止水板１を固定する手順を示す模式図である。
【図８】その他の係合部の形状を示す正面図である。
【図９】その他の固定具の形状、及び固定具５のその他の配置を示す正面図である。
【図１０】固定具と、固定面と、におけるその他の固定態様を示す図であって、図１０（ａ）は、Ｌ字型の固定具１１５Ｂを用いた固定態様を示す模式図であり、図１０（ｂ）は、コ字型の固定具１１５Ｃを用いた固定態様を示す模式図であり、図１０（ｃ）は、ビス１２５を用いた固定態様を示す模式図である。
【発明を実施するための形態】
【００２０】
以下、図１〜図１０を参照しながら、本実施形態に係る止水板の取付用基部構造の代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２１】
１．止水板の取付用基部構造の概要
本実施形態における止水板１の取付用基部構造は、例えば有事の際に発生した洪水等の大量の水が、図６に示すように、建物の出入口等に設けられた開口５１から矢印で示す方向（向き）に当該建物内部に侵入することを防止する止水板１の取付用基部構造であって、少ない部品で構成され、容易に短時間で確実な取付けを可能とするものである。
【００２２】
また、本実施形態における止水板１の取付用基部構造は、壁５５から連続して開口５１を構成する枠５３の互いに対向する内側面に奥行方向のテーパー（例えば開口後方から前方に広がる等）等を有していても、止水板１を確実に固定するものである。なお、図６において、枠５３は壁５５と境目を有しているが、枠５３と壁５５は一体化されている場合もある。
【００２３】
本実施形態における止水板１の取付用基部構造は、略鉛直方向に延びる壁５５及び枠５３で形成される開口５１において、止水板１を支持する取付板３と、壁５５に固定されて止水板１と係合する固定具５と、で構成され、当該取付板３及び固定具５を一組とし、開口５１の前方及び／又は後方の左右の壁５５それぞれに配設することにより、止水板１を開口５１に固定する。
【００２４】
２．取付板３の構造
次に、取付板３の構造を説明する斜視図である図１を参照しながら、取付板３について説明する。図１に示すとおり、取付板３は、取付板３を支持するための支持部１１と、自身を壁５５側に固定するための固定部１３と、で構成されている。また、支持部１１は、止水板１に直接当接する支持面１５と、該支持面１５を補強して支持部１１の剛性を向上させる補強面１６と、を具備し、固定部１３は、固定面１７と、該固定面１７を補強して固定部１３の剛性を向上させる２つのリブ１８と、を具備している。支持面１５と固定面１７とは略垂直の位置関係にあり、したがって、支持部１１と固定部１３も略垂直の位置関係にある。なお、支持部１５と固定部１３は、ある程度の剛性をもった厚みで形成されていれば、当該補強面やリブを設けないことも可能である。
【００２５】
更に、図２（ａ）（ｂ）（ｃ）を用いて、取付板３の構造について詳細に説明する。図２（ａ）（ｂ）（ｃ）は、取付板３の構造を説明する図であって、図２（ａ）は、取付板３を上方から見下ろした見下図であり、図２（ｂ）は、固定面１７を正面視した取付板３の正面図であり、図２（ｃ）は、支持面１５を正面視した取付板３の側面図である。
【００２６】
＜支持部１１＞
図２（ｂ）及び（ｃ）に示すとおり、支持部１１が具備する支持面１５と、補強面１６と、は略矩形の板であって、互いの長辺を合わせて双方が接続されている。支持面１５の短辺寸法は、使用する止水板１が備える固定用押圧部８１の幅寸法より大きく、長辺寸法は、当該固定用押圧部８１の高さ寸法より大きいことが望ましい。なお、本実施形態における止水板の取付用基部構造に適した止水板１の詳細については後述する。
【００２７】
また、図２（ａ）に示すとおり、当該支持面１５と、補強面１６と、の接続角度が略直角であることから、当該２面で構成される支持部１１はＬ型のアングル状となっている。これにより、支持面１５及び補強面１６双方が互いを補強し合う関係となり、支持部１１全体の剛性を向上している。支持面１５のみが直接止水板１の固定用押圧部８１に当接するが、当該止水板１の固定を行うために印加される力による支持面１５の屈曲及び撓み等の変形を好適に防止することができる。なお、止水板１固定時の取り扱いにおける安全性の観点から、上記支持面１５及び補強面１６が有する隅の角は所定のアールで面取りされていることが好ましい。
【００２８】
＜固定部１３＞
図２（ａ）及び（ｂ）に示すとおり、固定部１３が具備する固定面１７と、２つのリブ１８と、は双方とも概ね略矩形の板であって、固定面１７の上下に配置した長辺それぞれに、リブ１８が接続されている。固定面１７の短辺寸法は、後述する固定具５が備えた突設部２１の直径に所定のクリアランスを加えた大きさで、長辺寸法は、壁５５に対した当該固定具５の配設個数及び配設位置（固定具５が複数個の場合はそれぞれの位置及び配設間隔等）により決定することが望ましい。なお、リブ１８は固定面１７の長辺寸法と略同寸法の長辺を有するが、短辺寸法は比較的短いものであってよい。
【００２９】
また、図２（ｃ）に示すとおり、固定面１７と、２つのリブ１８と、の接続角度が略直角であることから、当該２面で構成される固定部１３はコの字型のアングル状となっている。これにより、固定面１７を２つのリブ１８が補強しており、固定部１３全体の剛性を向上している。固定面１７のみが壁５５に固定され、更に支持部１１を支持するが、当該壁５５との固定と、支持部１１の支持と、を行うために印加される力による固定面１７の屈曲及び撓み等の変形を好適に防止することができる。
【００３０】
固定面１７には、長辺方向に対して略平行な係合部１９を備えている。当該係合部１９は、固定面１７の短辺方向略中央に配置され、長辺方向略中央から支持部１１の接続位置の反対側に開放して切り欠かれている。また、図２（ｂ）に示すとおり、係合部１９の左端は円弧形状となっており、後述する固定具５が備える突設部２１の形状に合わせている。なお、上記係合部１９内に固定具５を容易に挿入可能とするため、係合部１９の右端に配置した角は所定のアールで面取りされていることが好ましい。
【００３１】
３．固定具５の構造
次に、図３（ａ）及び（ｂ）を用いて固定具５の構造について詳細に説明する。図３（ａ）及び（ｂ）は、固定具５の構造を示す図あって、図３（ａ）は、固定具５の構造を示す側面方向の断面図であり、図３（ｂ）は、固定具５の構造を示す上面図である。
【００３２】
図３（ａ）及び（ｂ）に示すとおり、固定具５は略円筒状の突設部２１と、該突設部２１の上端に配設される略円盤状の外れ止め部２３と、で構成されている。突設部２１は、長さ方向の寸法が、少なくとも固定面１７の厚さ寸法より大きく、内部に両端を貫通する中空孔２５を備えることが好ましい。
【００３３】
外れ止め部２３は、上述のとおり略円盤状の板であって、直径が係合部１９の高さ寸法より大きく、２つのリブ１８の離間寸法より小さいことが望ましい。また、径方向の略中心には下方から上方にテーパーを有する貫通孔２７を備えており、該貫通孔２７の下方側の直径は上記中空孔２５の直径と略同寸法である。
【００３４】
貫通孔２７の上方側の直径は、後術する固定ボルト５７の頭部形状に合わせて寸法を決定することが望ましい。なお、本実施形態では固定具５を突設部２１と、外れ止め部２３と、の２つの部品で構成されているが、双方を一体的に形成したものであってもよい。
【００３５】
４．止水板１の固定方法
続いて、図４〜図７を用いて止水板１の固定方法について詳細に説明する。図４は、壁５５に固定具５を固定する手順を示す模式図であり、図５は、壁５５に固定した固定具５に取付板３を係合させる手順を示す模式図であり、図６は、固定具５に係合した取付板３に止水板１を配置する手順を示す模式図であり、図７は、止水板１の固定する手順を示す模式図である。
【００３６】
＜壁５５に対する固定具５の固定＞
まず、図４に示すとおり、固定ボルト５７を用いて壁５５に固定具５を固定する。止水板１を取付ける開口５１を形成する左右の壁５５に対し、固定ボルト５７を挿入するためのボルト用孔５９を形成する。本実施形態では、片側の壁５５に２つの固定具５を固定するため、合計４つのボルト用孔５９を形成する。このように開口を形成する壁の左右の一方において複数の固定具５を用いると、例えばトグル機構を用いた、止水板を床に圧接する（下方向に変位させる）方向にも力がかかる固定方式の固定用押圧部８１で止水板を固定する場合、取付板３には上向きの力がかかり回転しようとするが、固定具５が複数設けられることで、取付板３の回転を防止することができ、好ましい。
【００３７】
開口５１は単に壁５５を切り欠いたり、二つの壁５５を並べることで形成したものでもよいが、本実施形態では金属製の枠５３を備え、当該枠５３は内向面に壁５５の後方から前方に向かって広がるテーパーを備えたものを代表して説明する。
【００３８】
ボルト用孔５９は、固定具５の固定に使用する固定ボルト５７の仕様に応じて形成することが望ましく、例えば螺子嵌合させるものであればボルト用孔５９の内側側面にタップを設ける。なお、固定ボルト５７は、螺子径寸法が突設部２１の中空孔２５の直径よりも小さいものを使用する。
【００３９】
次に、突設部２１の中空孔２５と、ボルト用孔５９と、を合わせつつ該突設部２１を壁５５に当接し、固定ボルト５７を外れ止め部２３の貫通孔２７と、中空孔２５と、を挿通させてボルト用孔５９に固定する。なお、固定具５の固定高さは、止水板１の固定用押圧部８１の高さに応じて決定することが望ましい。
【００４０】
＜取付板３と、固定具５と、の係合＞
続いて、図５に示すとおり、壁５５に固定した固定具５に取付板３を係合させる。まず、取付板３の固定面１７を壁５５の壁面と略平行に配置し、更に係合部１９の開口に固定具５の突設部２１を挿入しつつ取付板３を壁面に沿って所定の位置までスライドさせる。この時、取付板３が脱落等を起こさない様、当該取付板３と、固定具５と、の係合状態を入念に確認する。取付板３は、支持面１５の一部（実施例では裏面後側の端部）が枠５３に当接するまでスライドさせると、支持面１５と枠５３との当接部分が支えとなり、止水板を設置した際安定するため、より好ましい。左右の壁５５に固定した固定具５それぞれに対して取付板３を係合させることにより、当該工程の手順が完了する。なお、本実施例では、図６に示すとおり、開口の左右両側の壁５５にはそれぞれ取付板３が支持面１５を略平行に対向した状態で設けられている。
【００４１】
＜止水板１の配置及び固定＞
次に、図６に示すとおり、固定具５を介して壁５５に固定した取付板３に止水板１を配置する。本実施形態で使用する止水板１は、略平行な表面及び裏面を備えた略矩形の板部材を主部品として構成されたものであって、当該板部材は止水板としての機能を果たす範囲の種々の材料を用いて形成されている。樹脂製であっても金属製であってもよく、また、例えば中央部が樹脂製で周縁部が金属製であってもよい。更に、左右の端部及び下端部にはゴム材料等が備えられ、水漏れを起こす隙間の発生を防止する機構を備えている。
【００４２】
また、止水板１の上部左右の端には、所定の操作（本実施形態ではレバー６１の操作）により左右に可動する固定用押圧部８１が備わっており、該固定用押圧部８１が支持面１５を押圧することにより止水板１を取付板３に固定することができる。なお、本実施形態では略水平方向のみに固定用押圧部８１を押圧する固定方式を説明するが、トグル機構を用いて止水板を床面（下向き）にも圧接可能な固定方式を用いてもよい。
【００４３】
まず、止水板１を直立させた状態で壁面と略平行にしつつ、開口５１の前方に仮配置する。続いて、止水板１を上記状態から開口側に移動させ、当該止水板１の左右に位置する固定用押圧部８１を支持部１１の支持面１５に対向する様に配置する。この時、止水板１の左右の端部と枠５３及び下端部と地面に隙間等が発生しない様、止水板１の配置は微調整を行うことが望ましい。上記手順を経て止水板１の配置及び調整を完了した後、レバー６１を操作して固定用押圧部８１を左右外側に可動させ、該固定用押圧部８１を固定板３の支持面１１に当接させつつ押圧し、止水板１を開口５１に固定する（図７参照）。
【００４４】
上記手順を終えることにより、開口５１に対する止水板１の固定が完了し、本実施形態の止水板の取付用基部構造を実施することができる。このように、従来の水平方向突っ張り式や、前後方向引っ張り式の止水板と異なり、本実施形態における止水板の固定用基部構造を用いて止水板１を固定することにより、上記のようなテーパーを有した開口５１に確実かつ容易に固定することができ、有事の際に短時間で水の侵入を防止することができる。
【００４５】
以上、本実施形態における止水板の取付用基部構造の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【００４６】
例えば、上記実施形態においては、固定面１７と、固定具５と、を略水平方向に係合させる構成を代表して記述したが、当該係合を行う係合部１９の形状と、突設部２１の配置と、を下記のように適宜変更してもよい。
【００４７】
５．その他の係合部形状
ここで、図８を用いてその他の係合部の形状について説明する。図８は、その他の係合部の形状を示す正面図である。図８に示すとおり、係合部は例えば以下の８種の形状としてもよい。なお、当該説明では係合部の長辺方向を略水平に配置した状態とする。
【００４８】
係合部１１９Ａは下方に開放されたものであり、固定具に対して上方から下方にスライドすることにより係合させるものであり、係合部１１９Ｂは、所定の角度を加えた略下方に開放されたものであり、固定具に対して略上方から所定の角度で略下方にスライドすることにより係合させるものである。
【００４９】
また、係合部１１９Ｃは、横方向に開放した複数個のスリット６３により構成されたものであり、縦方向に並んだ複数個の固定具に対して横方向にスライドすることにより係合させるものであり、係合部１１９Ｄは、下方に開放した複数個のスリット６３により構成されたものであり、横方向に並んだ複数個の固定具に対して上方から下方にスライドすることにより係合させるものである。
【００５０】
更に、係合部１１９Ｅは、所定の角度を加えた略下方に開放した複数個のスリット６３により構成されたものであり、固定具に対して略上方から所定の角度で略下方にスライドすることにより係合させるものである。係合部１１９Ｆは、下方に開放する垂直部６５と、該垂直部６５の所定位置から水平方向に伸びる水平部６７と、から構成されたものであり、固定具に対して上方から下方にスライドして第一係合を行い、更に横方向にスライドして第二係合を行うものである。
【００５１】
また、係合部１１９Ｇは、孔部６９と、スリット部７１と、から構成された鍵穴状の穴孔であって、外れ止め部を具備する固定具に対応するものである。ここでは、外れ止め部を孔部６９に挿通し、スリット部７１に沿ってスライドすることで係合を達成する。そして、係合部１１９Ｈは、係合部の下方における大部分の面積を略矩形に切り欠いたものであって、例えば立方体の突設部に上方から下方にスライドすることにより係合するものである。
【００５２】
６．その他の固定具の形状
次に、図９を用いてその他の固定具の形状、及び固定具５のその他の配置について説明する。図９は、その他の固定具の形状、及び固定具５のその他の配置を示す正面図である。図９に示すとおり、固定具は例えば以下の形状、及び配置としてもよい。
【００５３】
固定具１１５Ａは、突設部１２１及び外れ止め部１２３が長円形状で形成されたものである。また、図９では長手方向を略水平に固定しているが、これに限定されるものではなく、略垂直や斜めに固定してもよい。
【００５４】
固定具５は、複数個を縦方向に所定の間隔で配置してもよく、例えば係合部１１９Ａや係合部１１９Ｃ等と係合させることができる。また、複数個を横方向に所定の間隔で配置することで、係合部１１９Ｄや係合部１１９Ｅと係合させることができる。更に複数個を斜めに所定の間隔で配置することで、係合部１１９Ｂと係合させることができる。
【００５５】
上述したとおり、固定具と、係合部の形状と、は種々の形状、及び配置から選択することができ、壁５５の形状や壁面の状態等に応じて決定することが望ましい。
【００５６】
７．固定具と、固定面と、におけるその他の固定態様
次に、図１０を用いて固定具と、固定面と、におけるその他の固定態様について説明する。図１０（ａ）（ｂ）（ｃ）は、固定具と、固定面と、におけるその他の固定態様を示す図であって、図１０（ａ）は、Ｌ字型の固定具１１５Ｂを用いた固定態様を示す模式図であり、図１０（ｂ）は、コ字型の固定具１１５Ｃを用いた固定態様を示す模式図であり、図１０（ｃ）は、ビス１２５を用いた固定態様を示す模式図である。
【００５７】
図１０（ａ）に示す固定態様は、Ｌ字型の断面形状を有した固定具１１５Ｂと、該固定具１１５Ｂの溝１２７に嵌合可能な固定面１１７Ａと、を用いたものである。固定具１１５Ｂは、壁５５に固定することで略直線的な溝１２７が形成され、当該溝１２７に固定面１１７Ａを上方から下方に嵌合、又は開口５１側から横方向に嵌合することで双方の固定が達成される態様である。
【００５８】
また、図１０（ｂ）に示す固定態様は、コ字型の断面形状を有した固定具１１５Ｃと、該固定具１１５Ｃの挿通孔１２９に嵌合可能な固定面１１７Ｂと、を用いたものである。固定具１１５Ｃは、壁５５に固定することで略直線的な挿通孔１２９が形成され、当該挿通孔１２９に固定面１１７Ｂを開口５１側から横方向に挿通して嵌合することで双方の固定が達成される態様である。
【００５９】
更に、図１０（ｃ）に示す固定態様は、固定具に代替してビス１２５により固定面１１７Ｃを壁５５に固定するものである。固定面１１７Ｃは、ビス１２５を挿通可能な切り欠き又は孔を有し、ビス１２５を当該切り欠き又は孔に挿通しつつ壁５５に固定する態様である。
【産業上の利用可能性】
【００６０】
本実施形態における止水板の取付用基部構造は、例えば有事の際に発生した洪水等の大量の水が、建物の出入口等に設けられた開口から当該建物内部に侵入することを防止する止水板の取付用基部構造であって、少ない部品で構成され、容易に短時間で確実な取付けを可能とするものである。また、開口を構成する枠の内向面に奥行方向のテーパー（例えば開口後方から前方に広がる等）等を有していても、止水板を確実に固定することができる。
【符号の説明】
【００６１】
１        止水板
３        取付板
５        固定具
１１      支持部
１３      固定部
１５      支持面
１６      補強面
１７      固定面
１８      リブ
１９      係合部
２１      突設部
２３      外れ止め部
２５      中空孔
２７      貫通孔
５１      開口
５３      枠
５５      壁
５７      固定ボルト
５９      ボルト用孔
６１      レバー
６３      スリット
６５      垂直部
６７      水平部
６９      孔部
７１      スリット部
８１      固定用押圧部
１１５Ａ  固定具
１１５Ｂ  固定具
１１５Ｃ  固定具
１１７Ａ  固定面
１１７Ｂ  固定面
１１７Ｃ  固定面
１１９Ａ  係合部
１１９Ｂ  係合部
１１９Ｃ  係合部
１１９Ｄ  係合部
１１９Ｅ  係合部
１１９Ｆ  係合部
１１９Ｇ  係合部
１１９Ｈ  係合部
１２１    突設部
１２３    外れ止め部
１２５    ビス
１２７    溝
１２９    挿通孔
【図１】
2018168654.tif 000003
【図２】
2018168654.tif 000004
【図３】
2018168654.tif 000005
【図４】
2018168654.tif 000006
【図５】
2018168654.tif 000007
【図６】
2018168654.tif 000008
【図７】
2018168654.tif 000009
【図８】
2018168654.tif 000010
【図９】
2018168654.tif 000011
【図１０】
2018168654.tif 000012